(57)【要約】【課題】装置本体を開状態にして装置全体を床置きした場合において、キー操作時の装置のぐらつきを防止することができる携帯電話機を提供する。【解決手段】本装置が開状態になると、装置全体の重心９が受話側４へ傾くので、送話側１に収納されていたスタンド１１を開脚する。これにより、重心９のバランスを送話側１にずらし、かつ装置本体の安定した着床を得る。上記の構成により、送話側１の台床７からの浮き上がりを防止すると共に、キー８の操作を安定して行うことができるようにしている。【選択図】図１
2012029237.tif 000002
【特許請求の範囲】
【請求項１】
装置本体の送話側に、該装置本体に収納可能で、かつ使用時に脚部が着床可能なスタンドを設けたことを特徴とする携帯電話機。
【請求項２】
前記スタンドは、引き出し操作または開脚操作により、脚部が受話側に面する床、または受話側に近い床に着床するように構成されていることを特徴とする携帯電話機。
【請求項３】
前記スタンドは、装置本体に２箇所設置されており、使用時には、前記送話側の先端部に位置する前記装置本体の底面と、該２箇所のスタンドの脚部との計３箇所で着床するように構成されていることを特徴とする請求項１または請求項２記載の携帯電話機。
【請求項４】
前記スタンドは、前記送話側の装置本体の底面に位置する装置ラウンドフォルム部の窪み部分に収納できるように構成されていることを特徴とする請求項１乃至３のいずれか１項に記載の携帯電話機。
【請求項５】
前記スタンドは、前記装置本体の受話側に最も近い前記送話側の端部に設置されていることを特徴とする請求項１乃至４のいずれか１項に記載の携帯電話機。
【請求項６】
装置本体の送話側に、該装置本体に収納可能で、かつ使用時に脚部が着床可能なスタンドを設けることを特徴とする携帯電話機本体の不安定化防止方法。
【発明の詳細な説明】
【技術分野】
【０００１】
本発明は携帯電話機及び携帯携帯電話機本体の不安定化防止方法に係り、特に、携帯電話機の本体を開状態にし、装置全体を床置きして使用する場合において、キー操作時の装置のぐらつきを防止することができる携帯電話機及び携帯携帯電話機本体の不安定化防止方法に関する。
【背景技術】
【０００２】
近年、携帯電話機は、装置の薄型化等の要請に伴い、形状が益々多様化している。
図６は、従来の折り畳み式携帯電話機の一例としての外観図である。
図７は、従来の折り畳み式携帯電話機の一例としての正面図である。
同図に示す矢印は、装置ラウンドフォルム部２による装置短手方向のぐらつきを示すものである。
図６，７に示す従来の折り畳み式携帯電話機２０の外観は、送話側１と装置ラウンドフォルム部２とを示している。送話側１には、通常、電池カバーが設けられるが、ここでは図示を省略している。
図６にも見られるように、近年の折り畳み式携帯電話機２０は、デザイン性及び持ち易さが配慮されている。また、図６，７に示す折り畳み式携帯電話機２０では、送話側１の背面側に装置ラウンドフォルム部２を有する構造となっている。
【０００３】
図８は、従来の折り畳み式携帯電話機の台床設置状態での側面図を示すものである。
同図に示すように、送話側１の背面側に装置ラウンドフォルム部２を有する構造の折り畳み式携帯電話機（例えば、折り畳み式携帯電話機２０）の場合、実際のユーザ使用時には、通常、装置全体が台床７（床または机）の上に置いて使用される場合が多い。
図９は、従来の折り畳み式携帯電話機の開状態使用時の一例としての側面図を示すものである。
より具体的には、同図に示すように、折り畳み式携帯電話機（例えば、折り畳み式携帯電話機２０）は、受話側４が開状態で使用されることが多く、この場合にも、床置き状態にされて、送話側１が床面７と接触する機会が多い。
【０００４】
また、この場合、この折り畳み式携帯電話機が、外部情報サイトからの情報閲覧やテレビ閲覧機能を備えている場合には、この床置き状態のままでキー８を指６で操作をする場面が生じることが多い。
図１０は、従来の折り畳み式携帯電話機の開状態使用時の他の一例としての側面図を示すものである。
さらに、同図に示すように、従来の折り畳み式携帯電話機（例えば、折り畳み式携帯電話機２０）は、近年、受話側４の液晶表示部の大型化に伴い、装置の開状態での重心９のバランスが受話側４の方向に向かう傾向が見られる。
【０００５】
本発明に関連する公知技術としては、まず、特許文献１に、利便性の高い転倒防止機構を設けた携帯端末の技術が開示されている。具体的には、携帯端末は、上側筐体、下側筐体、上側筐体と下側筐体を回動可能に接続するヒンジ部で構成する。また、下側筐体のヒンジ部の下方に支持脚を有する。さらに、筐体のヒンジ部の上側に凸部を有する。支持脚は、支軸を介し筐体に回動可能に固定され、折り畳み状態においては、コイルバネによって下側筐体の内部に引っ張られ、収納される。支持脚は、折り畳み状態においてはコイルバネによって下側筐体の内部に収納される。しかし、折り畳みを展開した場合、上側筐体１の凸部で支持脚の上部が押下され、支持脚の下部がせり出してくる。これにより、展開された携帯電話を、机上等へ安定状態に設置することができるものとしている。
【０００６】
また、特許文献２に、台に載置した際の安定性が優れた、折りたたみ構造の携帯端末装置の技術が開示されている。具体的には、キー操作部を有する下側筐体と、表示部を有する上側筐体と、下側筐体と上側筐体を回動可能にする結合部と、転倒防止部を有する、折りたたみ構造の携帯端末装置である。転倒防止部は、最も転倒しやすい方向である上側筐体の後方に下側筐体の支持面とほぼ同じ方向に取り付ける。上側筐体の重さによらず高い安定性が得られ、表示部の視認性を良くするために上側筐体の角度を自由に変えても、安定性を得ることができるものとしている。
【０００７】
また、特許文献３に、折り畳み式の携帯無線機を開いた状態で安定して卓上に置くことができ、さらには通話中における電波の送受信を良好に行うことができる携帯無線機の技術が開示されている。具体的には、受話部と表示部を有する第一の筐体と、送話部とキー操作部を有する第二の筐体とを互いの内面間の角度が可変するようにヒンジ部を介して回動可能に構成した携帯無線機のヒンジ部の両端に、アンテナを内蔵した一対のスタンド部を回動可能に配置し、携帯無線機の折り畳み時には一対のスタンド部先端が上記第一の筐体の外面と接する平面と上記第二の筐体の外面と接する平面との間に位置し、かつ展開時には一対のスタンド部先端が第二の筐体の外面と接する平面より突出するように構成している。
【０００８】
さらに、特許文献４に、良好なアンテナ特性を得られるように構成されたスライド型携帯通信端末の技術が開示されている。具体的には、第１の筐体と第２の筐体とがスライド可能に構成されている携帯通信端末に、２つの筐体のスライド動作に伴って筐体から突出するアンテナを設ける。アンテナは、２つの筐体のスライド面に対して所定角度で突出する。２つの筐体をスライドさせた状態から元の状態に戻すと、その動作に伴ってアンテナは元の位置に戻る。スライド動作後に手動でアンテナを引っ張りしたり、手動で元の位置に戻したりする構成にしてもよいものとしている。
【先行技術文献】
【特許文献】
【０００９】
【特許文献１】特開２００１−１３６２５２号公報
【特許文献２】特開２００３−２５８９７０号公報
【特許文献３】特開２００４−０１５２０９号公報
【特許文献４】特開２００９−００５０６９号公報
【発明の概要】
【発明が解決しようとする課題】
【００１０】
ところで、上記背景技術で述べた従来の携帯電話機にあっては、受話側が開状態で使用されることが多く、この場合にも、床置き状態にされて、送話側が床面と接触する機会が多い。また、この場合、この携帯電話機が、外部情報サイトからの情報閲覧やテレビ閲覧機能を備えている場合には、この床置き状態のままでキーが指で操作されることになる。
【００１１】
しかしながら、このような場合、装置ラウンドフォルム部が台床面に接している状態だと、台床面との接触面積が少なくて、キーの操作時に装置全体が傾き、また、ぐらついてしまって、キーが押下し難くなり、操作が困難になるという問題点が有った。
また、本来は、前述のようにキーの操作時に装置全体がアンバランス状態にならないように、装置本体の形状や重量バランスを考慮して設計するものであるが、装置の軽薄短小化に起因して、重量バランスを送話側（即ちキー側）にずらすことができる構成要素が少ないという事情が有る。
また、握り易くするためにラウンドフォルム部を背面に設ける必要などが生じている。
さらに、前述のとおり、受話側４の液晶表示部の高機能化・大型化に伴い、装置の開状態での重心９のバランス位置が受話側４に向かう傾向にあり、装置の開状態で受話側４の方に微妙に傾くか、若しくは、完全に倒れこんでしまうといったケース（図１０参照）も発生していた。
【００１２】
そこで、本発明では、
（１）  キー操作部を有する筐体の載置時に、着床箇所に対する重心位置が異なる複数の変形姿勢をとり得る携帯電話機（折り畳み式携帯電話機またはスライド式携帯電話機のいずれであっても良い）において、
（２）  とり得る全ての姿勢に対して、重心位置が着床点の内側になるような着床部を有する可動式スタンドを備え、
（３）  この可動式スタンドは、機器に収納することができて、必要な設置時に引き起こし操作により、回動展開する構造を有する、
ことを骨子としている。
【００１３】
なお、前述の特許文献１乃至４に記載の技術は、前記骨子の全てを、そのままで構成要件として含むものではない。
本発明は、上記従来の問題点に鑑みてなされたものであって、装置本体を開状態にして装置全体を床置きした場合において、キー操作時の装置のぐらつきを防止することができる携帯電話機を提供することを目的としている。
本発明の他の目的は、装置本体を開状態にして装置全体を床置きした場合において、キー操作時の装置のぐらつきを防止することができる携帯電話機本体の不安定化防止方法を提供することにある。
【課題を解決するための手段】
【００１４】
上記課題を解決するために、本発明に係る携帯電話機は、装置本体の送話側に、該装置本体に収納可能で、かつ使用時に脚部が着床可能なスタンドを設けたことを特徴とする。
また、本発明に係る携帯電話機本体の不安定化防止方法は、装置本体の送話側に、該装置本体に収納可能で、かつ使用時に脚部が着床可能なスタンドを設けることを特徴とする。
【発明の効果】
【００１５】
以上説明したように、本発明の携帯電話機によれば、装置本体の送話側に、該装置本体に収納可能で、かつ使用時に脚部が着床可能なスタンドを設ける構成としたので、該スタンドの設置位置を受話側に近い部分とするならば、装置全体の重心位置を送話側に移動させることができるので、装置本体を開状態にして装置全体を床置きした場合において、キー操作時の装置のぐらつきを防止できる携帯電話機を提供することができる効果が有る。
【図面の簡単な説明】
【００１６】
【図１】本発明の実施形態に係る携帯電話機の開状態使用時の側面図を示すものである。
【図２】本発明の実施形態に係る携帯電話機のの外観図を示すものである。
【図３】本発明の他の実施形態に係る携帯電話機の開状態使用時の側面図を示すものである。
【図４】一般的なスライド式携帯電話機の開状態使用時の側面図を示すものである。
【図５】本発明の他の実施形態に係るスライド式携帯電話機の開状態使用時の側面図を示すものである。
【図６】従来の折り畳み式携帯電話機の一例としての外観図である。
【図７】従来の折り畳み式携帯電話機の一例としての正面図である。
【図８】従来の折り畳み式携帯電話機の台床設置状態での一例としての側面図を示すものである。
【図９】従来の折り畳み式携帯電話機の開状態使用時の一例としての側面図を示すものである。
【図１０】従来の折り畳み式携帯電話機の開状態使用時の他の一例としての側面図を示すものである。
【発明を実施するための形態】
【００１７】
本発明は、装置（携帯電話機）を床置きして開状態で使用する場合のキー操作を、力学的に安定にすることを意図したものであり、送話側の背面に可動式のスタンドを収納可能に実装しておき、使用時に該スタンドを開脚することにより、装置全体の重心のバランスを送話側にずらすと共に、装置全体として、十分な面積の平坦な着床部分を確保するものである。
これにより、装置を床置きして開状態で使用する場合にあっても、キーを力学的に安定して操作できることを可能にしている。
以下、本発明の携帯電話機及び携帯電話機本体の不安定化防止方法について、図面を参照して詳細に説明する。
【００１８】
図１は、本発明の実施形態に係る携帯電話機の開状態使用時の側面図を示すものである。同図を含めて以下に示す図（図１〜５）では、図６〜１０（従来例）と重複する部分には同一の符号を附し、説明を省略する。
また、この実施形態では、折り畳み式携帯電話機の場合で説明するが、本発明に係る携帯電話機は、他の一般的な携帯電話機にも適用可能であり、特に、スライド式の携帯電話機にも適用可能である。さらに、本発明に係る携帯電話機は、他の携帯可能な情報端末装置にも適用可能である。
【００１９】
同図に示す本実施携帯に係る折り畳み式携帯電話機１０は、図６〜１０に示す従来の折り畳み式携帯電話機２０と比べて、可動式（ここでは開脚式）のスタンド１１を必須の構成要素とし、かつ、その構成には、後述する特別の工夫を施すものである。
同図に示す本実施携帯に係る折り畳み式携帯電話機１０の外観図は、例えば、図６に示す従来の折り畳み式携帯電話機２０の外観図と同じであっても良い。
【００２０】
以下、図１を参照しながら、本実施形態の折り畳み式携帯電話機１０の機能を、スタンド１１の機能を主体にして説明する。
本実施携帯に係る折り畳み式携帯電話機１０は、装置床置き開状態の場合に、送話側１に収納されていたスタンド１１を、例えば図１に示すように開脚する（即ち、図１では、スタンド１１脚部の着床点は、受話側４の方に近い）。
【００２１】
これにより、送話側１全体が、台床７から上方に持ち上げられるので、装置本体の重心９のバランスを送話側１にずらすことが可能となり、装置本体の安定した着床を得る。
また、スタンド１１脚部の着床によっても、装置本体についての安定した着床を得る。
本実施形態に係る折り畳み式携帯電話機１０によれば、上記のように構成することより、図１０に示すような、送話側１前部の台床７からの浮き上がりを防止すると共に、キー８の操作を安定して行うことができる効果が有る。
【００２２】
また、上記の構成により、装置ラウンドフォルム部２を台床７から浮かせることができるので、その形状による不安定さを除去することが可能となる効果が有る。
さらに、スタンド１１を、装置ラウンドフォルム部２の窪み部分に収納されるように構成すれば、装置に内蔵する各種コンポーネント部品の実装容量に与える影響を少なくすることができる効果が有る。
また、上記の各効果により、ユーザが装置を床置き開状態で使用する場合であっても、キー８を安定して操作できるようにしているので、ユーザビリティに配慮した商品を提供することが可能となる効果が得られる。
【００２３】
（他の実施形態）
本発明に係る携帯電話機は、形状、サイズ、設置位置等を限定されるものではなく、例えば、送話側１の背面側に装置ラウンドフォルム部２を有する構成にすることができる。
図２は、本発明の他の実施形態に係る携帯電話機の外観図を示すものである。
本発明に係る携帯電話機のスタンド１１は、形状及び大きさや設置位置が限定されることはない。例えば、図２に示すように２つのスタンド（スタンド１３，１４）を備えることで、３点で支持させ、これにより、一層の安定化を図ることも可能である。
特に、装置ランドフォルム部２が、図７に示すように、装置短手方向に弧を描くように造形されている場合には、キー８の表面が左右に揺れて不安定になるので、スタンドを２つ備えることで前後だけでなく左右方向にも安定させることができる。
【００２４】
図３は、本発明の他の実施形態に係る携帯電話機の開状態使用時の側面図を示すものである。
同図に示すように、送話側１の背面側に装置ラウンドフォルム部２を有する装置構成であっても、送話側１（の先端部）、ラウンドフォルム部２、及びスタンド１２から成る少なくとも３箇所が着床し、この３箇所で装置本体が支持されるようにスタンド１２を構成することで、スタンド１２が構造強度的に弱い場合であっても、力学的に安定した状態でキー８を操作することができる。
また、この場合、装置ラウンドフォルム部２が加わることにより、全体としての着床面積が増加することも、装置本体の安定化に貢献することになる。
【００２５】
なお、受話側４の方向に重心９のバランスが著しく傾く装置構成の場合は、一層確実に装置本体の安定化を図る必要が生じるが、このような場合の対策を実施するには、引き起こしスタンド１３，１４を、装置全体の重心９よりも外側の位置（受話側４の方向）に設置し、引き起こしスタンド１３，１４が、受話側４の方向で着床するようにすることで、バランスを崩すことなく、キー８の操作ができるようになる。
図４は、一般的なスライド式携帯電話機の開状態使用時の側面図を示すものである。
同図に示すスライド式携帯電話機は、受話側４の方向に重心９のバランスが著しく傾く装置構成となっている。以下、その対策が可能な実施形態を示す。
【００２６】
図５は、本発明の他の実施形態に係るスライド式携帯電話機の開状態使用時の側面図を示すものである。
同図に示すスライド式携帯電話機も、受話側４の方向に重心９のバランスが著しく傾く装置構成であるが、このような場合、送話側１の最後部（即ち、受話側４に最も近い位置）にスタンド１５を設けることで、装置本体が受話側４の方向に倒れ込むことを防止することができる。
【符号の説明】
【００２７】
１  送話側
２  装置ラウンドフォルム部
４  受話側
７  台床
８  キー
９  重心
１０  携帯電話機（本発明）
１１，１５  スタンド（可動式）
１３，１４  引き起こしスタンド
２０  折り畳み式携帯電話機（従来）
【図１】
2012029237.tif 000003
【図２】
2012029237.tif 000004
【図３】
2012029237.tif 000005
【図４】
2012029237.tif 000006
【図５】
2012029237.tif 000007
【図６】
2012029237.tif 000008
【図７】
2012029237.tif 000009
【図８】
2012029237.tif 000010
【図９】
2012029237.tif 000011
【図１０】
2012029237.tif 000012